(57)【要約】【課題】本発明は、開封用タブを容易に起こすことができる飲料缶を提供することを目的とするものである。【解決手段】蓋部材４に、所定の押圧により開口可能となるように形成された開口予定領域５と、長手方向の一方の縁部が開口予定領域５を覆うように開口予定領域５の近傍の蓋部材４に連結枢着された開封用タブ６と、開口予定領域５に、開封用タブ６の一方の縁部１０が挿入されることによって開封用タブ６の他方の縁部１１が起立する深さに形成された凹部１２とを備える【選択図】図２
2015042562.tif 000002
【特許請求の範囲】
【請求項１】
蓋部材に形成された、所定の押圧により開口可能とされる開口予定領域と、
長手方向の一方の縁部が前記開口予定領域を覆うように同開口予定領域の近傍の蓋部材に連結枢着された開封用タブと、
前記開口予定領域に形成された、前記開封用タブの一方の縁部が挿入されることで同開封用タブの他方の縁部が起立する深さの凹部とを備える
飲料缶。
【請求項２】
前記開封用タブは、剛性を有する板状部材より形成された
請求項１に記載の飲料缶。
【請求項３】
前記凹部は、前記開封用タブの枢着位置から同開封用タブの長手方向の軸線上に向けて傾斜状とされた
請求項１または請求項２に記載の飲料缶。
【請求項４】
前記蓋部材は、前記開口予定領域を囲む破断予定線が形成された
請求項１、請求項２または請求項３に記載の飲料缶。
【請求項５】
蓋部材に形成された所定の押圧により開口可能とされる開口予定領域の近傍の蓋部材に連結枢着され、長手方向の一方の縁部が前記開口予定領域に形成された凹部内に挿入可能とされる開封用タブの一方の縁部を前記凹部内へ挿入する工程と、
前記開封用タブの一方の縁部を前記凹部内へ挿入することで、同開封用タブの他方の縁部が起立する工程と、
前記開封用タブの他方の縁部を同開封用タブの長手方向の開口予定領域側に回転させることで開封用タブの一方の縁部で開口予定領域を押圧して開封する工程とを備える
飲料缶の開封方法。
【発明の詳細な説明】
【技術分野】
【０００１】
本発明は、飲料缶及び飲料缶の開封方法に関する。詳しくは、開封用タブを備えた飲料缶及び開封用タブによる飲料缶の開封方法に係るものである。
【背景技術】
【０００２】
従来より、缶切りを使用せずに飲む方法としてプルタブが開発され、プルトップ缶と称されている。当初は、プルタブを起こすと缶の蓋の一部が上方に立ち上がる方式であったが、危険が多いので、缶の蓋の一部が缶の内側へ下がる方式へとなっている。
【０００３】
具体的には、特許文献１に記載された飲料缶では、図６に示すように、基板１０１には、その中心からずれた位置に、飲み口が形成される際に開口される開口予定領域１０２が形成されている。更に、基板１０１には、開口予定領域１０２を囲むスコア（破断予定線）１０６が形成されている。
【０００４】
また、開封用タブ１０３は、リベット１０４を介して基板１０１に固定される固定部１０５を備えており、更に、固定部１０５から基板１０１に沿ってリング部１０７が形成されている。
【０００５】
また、固定部１０５は、開口予定領域１０２にオーバーラップするように配置され、リング部１０７は、スコア１０６から遠ざかる方向に伸びている。
【０００６】
ここで、リング部１０７の先端部に指を掛けて引き起すと、リベット１０４を支点として、固定部１０５の先端部が下方へ移動する。これにより、所謂梃子の原理でスコア１０６が破断され、この結果、開口予定領域１０２が開封されて飲料の注出が可能となる。
【先行技術文献】
【特許文献】
【０００７】
【特許文献１】特開２０１２−１６８１１６号公報
【発明の概要】
【発明が解決しようとする課題】
【０００８】
しかしながら、上述した特許文献１に記載された飲料缶では、リング部と基板との間に指の爪から差し入れ、リング部に指先を引っ掛けた状態で開封用タブを起立させるものである。
【０００９】
ところが、近年、付け爪をする女性が多くなり、開封用タブのリング部と基板との間に指先を差し入れる際に、付け爪が邪魔となって開封用タブを起こし難くなることがある。
【００１０】
また、冬のように手袋をしている場合では、リング部と基板との間に指先を差し入れることができないために、その都度、手袋を外して開封用タブを起こしているのが現状である。
【００１１】
本発明は、以上の点に鑑みて創案されたものであって、開封用タブを容易に起こすことができる飲料缶及び開封用タブによる飲料缶の開封方法を提供することを目的とするものである。
【課題を解決するための手段】
【００１２】
上記の目的を達成するために、本発明に係る飲料缶は、蓋部材に形成された、所定の押圧により開口可能とされる開口予定領域と、長手方向の一方の縁部が前記開口予定領域を覆うように同開口予定領域の近傍の蓋部材に連結枢着された開封用タブと、前記開口予定領域に形成された、前記開封用タブの一方の縁部が挿入されることで同開封用タブの他方の縁部が起立する深さの凹部とを備える。
【００１３】
ここで、蓋部材に形成された、所定の押圧により開口可能とされる開口予定領域によって、蓋部材に飲み口を形成することが可能となる。
【００１４】
また、長手方向の一方の縁部が開口予定領域を覆うように開口予定領域の近傍の蓋部材に連結枢着された開封用タブによって、開封用タブの一方の縁部で開口予定領域を押圧することが可能となる。この結果、開口予定領域が開封されて飲み口を形成することが可能となる。
【００１５】
また、開口予定領域に形成された、開封用タブの一方の縁部が挿入されることで開封用タブの他方の縁部が起立する深さの凹部によって、開封用タブの一方の縁部が下方に押し下がることで、開封用タブの他方の縁部が起き上がり蓋部材との間に指先が入り込める空間を確保することが可能となる。
【００１６】
また、本発明に係る飲料缶において、開封用タブが、剛性を有する板状部材より形成された場合には、開封用タブの枢着位置を起点として、開封用タブの一方の縁部で開口予定領域を無理なく押圧することが可能となる。
【００１７】
また、上記の目的を達成するために、本発明に係る飲料缶の開封方法は、蓋部材に形成された所定の押圧により開口可能とされる開口予定領域の近傍の蓋部材に連結枢着され、長手方向の一方の縁部が前記開口予定領域に形成された凹部内に挿入可能とされる開封用タブの一方の縁部を前記凹部内へ挿入する工程と、前記開封用タブの一方の縁部を前記凹部内へ挿入することで、同開封用タブの他方の縁部が起立する工程と、前記開封用タブの他方の縁部を同開封用タブの長手方向の開口予定領域側に回転させることで開封用タブの一方の縁部で開口予定領域を押圧して開封する工程とを備える。
【００１８】
ここで、蓋部材に形成された所定の押圧により開口可能とされる開口予定領域の近傍の蓋部材に連結枢着され、長手方向の一方の縁部が開口予定領域に形成された凹部内に挿入可能とされる開封用タブの一方の縁部を凹部内へ挿入することによって、開封用タブの枢着位置を起点として、開封用タブの一方の縁部が凹部内へ移動することが可能となる。
【００１９】
また、開封用タブの一方の縁部を凹部内へ挿入することで、開封用タブの他方の縁部が起立することによって、蓋部材との間に指先が入り込める空間を確保することが可能となる。
【００２０】
また、開封用タブの他方の縁部を同開封用タブの長手方向の開封用タブ側に回転させることで開封用タブの一方の縁部で開口予定領域を押圧することによって、開口予定領域が開封されて飲み口を形成することが可能となる。
【００２１】
また、本発明に係る飲料缶において、凹部が、開封用タブの枢着位置から開封用タブの長手方向の軸線上に向けて傾斜状とされた場合には、凹部の傾斜面を開封用タブの一方の縁部で均一に押圧することで、開口予定領域を容易に開封することが可能となる。
【００２２】
また、本発明に係る飲料缶において、蓋部材が、開口予定領域を囲む破断予定線が形成された場合には、開封用タブの一方の縁部で開口予定領域を押圧することで破断予定線が破断されて容易に飲み口を形成することが可能となる。
【発明の効果】
【００２３】
本発明の飲料缶によれば、開封用タブを起こすことで、開封用タブと蓋部材との間に指先が入り込める空間を確保することが可能となる。
また、本発明の飲料缶の開封方法によれば、開封用タブを起こすことで開封用タブによる開封を容易に行うことが可能となる。
【図面の簡単な説明】
【００２４】
【図１】本発明を適用した飲料缶の一例を説明するための模式図である。
【図２】本発明を適用した飲料缶における蓋部材を説明するための平面模式図である。
【図３】本発明を適用した飲料缶における開口予定領域の凹部を説明するための断面模式図（Ａ）及び、本発明を適用した飲料缶における開封用タブの作用動作を説明するための断面模式図（Ｂ）である。
【図４】本発明を適用した飲料缶の開封用タブの引き起し状態を説明するための断面模式図である。
【図５】本発明を適用した飲料缶の開封状態を説明するための断面模式図である。
【図６】従来の飲料缶の開封機構の一例を説明するための模式図である。
【発明を実施するための形態】
【００２５】
以下、本発明の実施の形態を図面を参酌しながら詳述する。
【００２６】
＜第１の実施の形態＞
図１は本発明を適用した飲料缶の一例を説明するための模式図、図２は本発明を適用した飲料缶における蓋部材を説明するための平面模式図である。
【００２７】
ここで示す飲料缶１は、一端側に底部２を有する筒状体３と、この筒状体３の他端側に固定された蓋部材４とから構成されている。
【００２８】
この蓋部材４は、金属板で円盤状に形成され、かつ、所謂、巻き締めにより筒状体３の他端に固定されている。
【００２９】
ここで、蓋部材４には、その中心からずれた位置（偏心した位置）に、飲み口形状に破断予定線１５が形成された開口予定領域５が形成されている。この予定破断線１５が破断されることで、開口予定領域５が下方に押し下げられて飲み口（図示せず。）が開口される構成とされている。
【００３０】
この破断予定線１５は、飲料缶１を落下させたときの衝撃力、あるいは開口予定領域５を指先で押す程度の力では破断しないような切削溝（図示せず。）が設けられている。
【００３１】
この切削溝（図示せず。）により、開口予定領域５に開封用タブ６による押圧（例えば、指先で押す以上の圧力）が加わることで破断予定線１５が破断されて開口予定領域５が開口し、飲み口（図示せず。）が形成されることになる。
【００３２】
更に、長手方向の一方の縁部１０が開口予定領域５を覆うようにして蓋部材４に開封用タブ６が連結枢着されている。
【００３３】
この開封用タブ６は、略楕円形状のアルミニウム製の板状部材の周縁が折り曲げられることで剛性のある板状部材に形成されている。
【００３４】
また、開封用タブ６の長手方向の中心軸線上にＵ字形状に開口溝部７が打ち抜き加工されることで連結板８が形成されている。
【００３５】
この連結板８を蓋部材４の略中心位置、即ち、開口予定領域５の近傍の位置にリベット９を介して開口予定領域５と同一の線上となるように連結固定する。これにより、開封用タブ６の長手方向の一方の縁部１０が開口予定領域５を覆うような状態とされている。
【００３６】
また、連結板８は開口溝部７によりリベット９で蓋部材４に連結固定された状態で、この連結板８を支点として開封用タブ６が長手方向に向けて上下動可能な構成とされている。
【００３７】
更に、開封用タブ６の長手方向の他方の縁部１１側には、開口穴が打ち抜き加工されることでリング部１３が形成された構成とされている。
【００３８】
このリング部１３の先端部に指を掛けて引き起すことによりリベット９で連結固定された連結板８を支点として開封用タブ６の一方の縁部１０が下方へ移動する構成とされている。
【００３９】
また、開封用タブ６の一方の縁部１０が位置する開口予定領域５には、開封用タブ６の一方の縁部１０が挿入可能な内径を有する凹部１２が形成されている。
【００４０】
次に、図３（Ａ）は本発明を適用した飲料缶における開口予定領域の凹部を説明するための断面模式図及び、図３（Ｂ）は本発明を適用した飲料缶における開封用タブの作用動作を説明するための断面模式図である。
【００４１】
ここで、凹部１２は、開封用タブ６の一方の縁部１０が挿入されることによって開封用タブ６の他方の縁部１１側が起立する深さに形成されている。更に、凹部１２は、開封用タブ６の固定位置から開封用タブ６の長手方向の軸線上に向けて傾斜状とされた傾斜面１４が形成されている（図３（Ａ）参照）。
【００４２】
このようにして傾斜面１４を形成することで、開封用タブ６の一方の縁部１０を指などで下方へ押すことにより凹部１２内の傾斜面１４面に対して、開封用タブ６の一方の縁部１０の下側面が均一に接することになる（図３（Ｂ）参照）。
【００４３】
これにより、リベット９で連結固定された連結板８を支点として開封用タブ６の他方の縁部１１側が起立し、蓋部材４と開封用タブ６の他方の縁部１１との間に空間が生じることになる。その結果、蓋部材４と開封用タブ６の他方の縁部１１との間に指先（図示せず。）を挿入して開封用タブ６のリング部１３内に容易に引っ掛けることが可能となる。
【００４４】
なお、本実施の形態では、開封用タブで覆われる開口予定領域の部分のみを凹部に形成するものであるが、必ずしも開口予定領域の一部分のみを凹部に形成する必要性はない。
【００４５】
例えば、開口予定領域に、開封用タブの一方の縁部が挿入されることによって開封用タブの他方の縁部が起立する深さであれば、開口予定領域の全体を凹部に形成するものであっても構わない。
【００４６】
また、本実施の形態では、開封用タブは、剛性を有する板状部材より形成するものであるが、必ずしも剛性を有する板状部材より形成する必要性はない。
【００４７】
例えば、開口予定領域を押圧することで開封可能となるものであればいかなる素材、あるいは形状であっても構わない。しかし、開口予定領域を面接触により押圧することができるという点において剛性を有する板状部材より形成することが望ましい。
【００４８】
また、本実施の形態では、凹部が、開封用タブの枢着位置から開封用タブの長手方向の軸線上に向けて傾斜状とするものであるが、必ずしも開封用タブの長手方向の軸線上に向けて傾斜状とする必要性はない。
【００４９】
しかし、開封用タブが開口予定領域の凹部の傾斜面に均一に面接触することで開封用タブを均一に押圧すると共に、開封用タブの他方の縁部を確実に起立させるという点において開封用タブの長手方向の軸線上に向けて傾斜状とすることが望ましい。
【００５０】
また、本実施の形態では、蓋部材が、開口予定領域を囲む破断予定線が形成されるものであるが、必ずしも破断予定線を形成する必要性はない。
【００５１】
しかし、開口予定領域を押圧することで確実に開封することが可能となるという点において、開口予定領域を囲む破断予定線を形成することが望ましい。
【００５２】
また、本実施の形態では、開封用タブと蓋部材との連結にリベットを使用するものであるが、必ずしもリベットを使用する必要性はない。
【００５３】
例えば、蓋部材に突起を設け、この突起に開封用タブの連結板に設けた穴を嵌め入れて一体的に連結するなど開封用タブと蓋部材とが連結できるものであればいかなる機構であっても構わない。
【００５４】
以上の構成よりなる本発明の飲料缶１では、図４に示すように、開封用タブ６の一方の縁部１０を指先Ａで下方へ押し下げる。
【００５５】
これにより、リベット９で連結固定された連結板８を支点として開放用タブ６の一方の縁部１０が開口予定領域５の凹部１２内へ移動しながら挿入される。
【００５６】
このようにして開封用タブ６の一方の縁部１０を押し下げることで凹部１２の傾斜面１４に開封用タブ６の一方の縁部１０の下側面が密着した状態となる。
【００５７】
ここで、開封用タブ６の一方の縁部１０が押し下げることで開封用タブ６の他方の縁部１１は、リベット９で連結固定された連結板８を支点として上方へ移動しながら起立する。
【００５８】
これにより、開封用タブ６の他方の縁部１１と蓋部材４面との間に指が入り込める空間が確保され、開封用タブ６の他方の縁部１１と蓋部材４面との間に指先Ａを容易に挿入することが可能となる。
【００５９】
従って、図５に示すように、開封用タブ６のリング部１３を指先Ａで引っ掛けた状態で、更に、図中Ｂ矢印方向へ回転させることが可能となる。
【００６０】
これにより、リベット９で連結固定された連結板８を支点として開放用タブ６の一方の縁部１０が開口予定領域５の凹部１２内の傾斜面１４を強く押圧することになる。
【００６１】
この時の押圧力で開口予定領域５を囲むようにして設けられた破断予定線１５が破断される。この結果、開口予定領域５が開封されて内容物である飲料の注出が可能となる。
【００６２】
本発明の飲料缶では、開封用タブの一方の縁部を押し下げることで開封用タブの他方の縁部と蓋部材との間に指が入り込める空間を瞬時に形成することが可能となる。
【００６３】
これにより、例えば、付け爪により開封用タブを引き起こすことなく指先でリング部を掴んで容易に開封用タブの引き起しが可能となる。
【００６４】
また、冬のように手袋をしたままの状態でも開封用タブの他方の縁部と蓋部材との間に指が入り込める充分な空間を確保することが可能となる。
【００６５】
＜第２の実施の形態＞
次に、本発明を適用した飲料缶の開封方法の一例を以下に詳述する。
前記図４において詳述するように、蓋部材４に形成された所定の押圧により開口可能とされる開口予定領域５が形成されている。
【００６６】
この開口予定領域５の近傍の蓋部材４に連結枢着され、長手方向の一方の縁部１０が開口予定領域５に形成された凹部１２内に挿入可能とされる開封用タブ６の一方の縁部１０を凹部１２内へ挿入する。
【００６７】
ここで、開封用タブ６の一方の縁部１０が凹部１２内へ押し下げられることで開封用タブ６の他方の縁部１１は、リベット９で連結固定された連結板８を支点として上方へ移動しながら起立する。
【００６８】
これにより、開封用タブ６の他方の縁部１１と蓋部材４面との間に指が入り込める空間が確保され、開封用タブ６の他方の縁部１１と蓋部材４面との間に指先Ａを挿入する。
【００６９】
更に、前記図５において詳述するように、開封用タブ６のリング部１３を指先Ａで引っ掛けた状態で、図中Ｂ矢印方向へ回転させる。
【００７０】
これにより、リベット９で連結固定された連結板８を支点として開放用タブ６の一方の縁部１０が開口予定領域５の凹部１２内の傾斜面１４を強く押圧することになる。
【００７１】
この時の押圧力で開口予定領域５を囲むようにして設けられた破断予定線１５が破断される。この結果、開口予定領域５が開封されて内容物である飲料の注出が可能となる。
【００７２】
本発明の飲料缶の開封方法では、開封用タブの一方の縁部を開口予定領域の凹部内へ押し下げることで開封用タブの他方の縁部と蓋部材との間に指が入り込める空間を瞬時に形成することが可能となる。
【００７３】
これにより、開封用タブによる飲料缶の開封を容易に行うことが可能となる。
【符号の説明】
【００７４】
１        飲料缶
２        底部
３        筒状体
４        蓋部材
５        開口予定領域
６        開封用タブ
７        開口溝部
８        連結板
９        リベット
１０      一方の縁部
１１      他方の縁部
１２      凹部
１３      リング部
１４      傾斜面
１５      破断予定線
【図１】
2015042562.tif 000003
【図２】
2015042562.tif 000004
【図３】
2015042562.tif 000005
【図４】
2015042562.tif 000006
【図５】
2015042562.tif 000007
【図６】
2015042562.tif 000008